(57)【特許請求の範囲】
【請求項１】
薬液収納容器と、薬液収納容器から吸引した薬液を噴霧する薬液噴霧部とからなる薬液噴霧装置であって、前記薬液収納容器と前記薬液噴霧部とが着脱可能であり、かつ前記薬液収納容器には、あらかじめ薬液成分となる水溶性の塩素系酸化剤からなる固形薬剤のみが封入されており、使用時に溶媒を加えて薬液を調製することを特徴とする水溶性の塩素系酸化剤からなる固形薬剤を封入した薬液噴霧装置。
【請求項２】
前記水溶性の塩素系酸化剤がジクロロイソシアヌル酸ナトリウムであることを特徴とする請求項１に記載した水溶性の塩素系酸化剤からなる固形薬剤を封入した薬液噴霧装置。
【請求項３】
前記水溶性の塩素系酸化剤からなる固形薬剤は、増量剤として水溶性無機塩を含むことを特徴とする請求項１または請求項２のいずれかに記載した固形薬剤を封入した薬液噴霧装置。
【請求項４】
前記水溶性の塩素系酸化剤からなる固形薬剤の封入量は、前記薬液収納容器に水を加えて調製した薬液の有効塩素濃度が５０〜４００ｐｐｍとなる封入量であることを特徴とする請求項１〜請求項３のいずれかに記載した水溶性の塩素系酸化剤からなる固形薬剤を封入した薬液噴霧装置。
【発明の詳細な説明】
【技術分野】
【０００１】
本発明は、殺菌、消臭用途の塩素系固形薬剤を封入した薬液噴霧装置に関する。
【背景技術】
【０００２】
塩素系薬剤は、殺菌用途としては、病院・老人ホーム等の各種厚生施設、食品関連工場、レストラン等の厨房、水泳プール、一般家庭等において使用され、消臭用途としても、公衆トイレ、生ゴミ処理施設、病院・老人ホーム等の各種厚生施設、畜産関係施設、一般家庭等の幅広い分野において好適に使用されている。
【０００３】
塩素系薬剤の有効性については、世界で普遍的に認知されており、水道水やプールの殺菌、排水処理、食器類、生野菜、厨房、浴室、便器などの殺菌及び消臭など幅広い分野で使用されている。塩素系薬剤には、液体タイプとして、次亜塩素酸ナトリウムがあり、固形タイプとして、次亜塩素酸カルシウム、ジクロロイソシアヌル酸ナトリウム、トリクロロイソシアヌル酸がある。
【０００４】
液体タイプの塩素系薬剤である次亜塩素酸ナトリウムは、６質量％〜１２質量％の水溶液として流通しているため、使用目的に応じて、適宜、水道水等で希釈する必要がある。また、用途に合わせて各種のボトル等に小分けする必要もある。このように液体タイプの塩素系薬剤を希釈し、小分けすることは極めて煩雑である。さらに、このような水溶液タイプで流通する塩素系薬剤は、水溶液中の活性塩素が経時劣化し、薬剤効力が低減するという問題がある。すなわち、水溶液中の活性塩素は、熱や紫外線等により経時劣化することが避けられず、製造後、長期間、流通過程に置かれると、その効果が著しく減少することが知られている。
【０００５】
一方、固形タイプの塩素系薬剤である次亜塩素酸カルシウム、ジクロロイソシアヌル酸ナトリウム、トリクロロイソシアヌル酸は、粉末状、顆粒状で流通しており、適宜に水道水等の清浄な水に溶かして使用する。これら固形タイプの塩素系薬剤は、適切に密封管理されていれば、水に溶解させるまでは、活性塩素の劣化が発生しにくく、長期保存に適している。近年、水に浸漬した場合の崩壊性に優れ、水に対する溶解速度が速く、高濃度の活性塩素を速やかに供給でき、保存安定性及び成形性に優れた塩素化イソシアヌル酸成形物が提供されている（特許文献１）。しかしながら、固形タイプの塩素系薬剤は、袋入りの粉末・顆粒タイプで供給されているため、夫々の使用目的に応じて、溶解に使用する水量と薬剤の量を適宜適切に計算しなければならず、また、出来上がった水溶液を使用目的に応じた容器に小分けするという煩雑さは依然として解決されない。
【０００６】
ところで、塩素系薬剤を殺菌・消毒、消臭用途に使用する場合は、薬液を噴霧器（スプレー）で殺菌・消毒、消臭の対象となる物に噴霧することが一般的であり、このような用途に使用する噴霧器が開示されている（特許文献２〜５）。しかしながら、いずれも液体タイプの塩素系薬剤、あるいは固形タイプの薬剤を水溶液として使用するものであり、希釈、小分けという問題はないものの、水溶液中の活性塩素が経時劣化し、薬剤効力が低減するという問題は解決されていない。
【先行技術文献】
【特許文献】
【０００７】
【特許文献１】特開２００４−１２３７２４号公報
【特許文献２】特開２００３−１８１３３８号公報
【特許文献３】特開２００４−１４１４２９号公報
【特許文献４】登録実用新案第３１６５３７５号公報
【特許文献５】登録実用新案第３１６６５２２号公報
【発明の開示】
【発明が解決しようとする課題】
【０００８】
本発明は、使用時の計量、希釈あるいは小分けという取扱いの煩雑さがなく、薬剤の経時劣化がほとんどなく、活性塩素の効力（有効塩素）が低減せず、長期保存性に優れる塩素系薬剤を用いた殺菌・消毒、消臭用噴霧器（スプレー装置）を提供することである。さらには、外出時の携帯性に優れる塩素系薬剤を用いた殺菌・消毒、消臭用噴霧器（スプレー装置）を提供することである。
【課題を解決するための手段】
【０００９】
本発明者らは、鋭意研究を重ねた結果、薬液収納容器に塩素系薬剤を固形状態、例えば粉体状、顆粒状、で事前に封入した形態の噴霧器を提供することで、上記課題を解決するに至った。具体的には、以下の態様により解決できる。
【００１０】
（態様１）  薬液収納容器と、薬液収納容器から吸引した薬液を噴霧する薬液噴霧部とからなる薬液噴霧装置であって、前記薬液収納容器と前記薬液噴霧部とが着脱可能であり、かつ前記薬液収納容器には、あらかじめ薬液成分となる水溶性の塩素系酸化剤からなる固形薬剤のみが封入されており、使用時に溶媒を加えて薬液を調製することを特徴とする水溶性の塩素系酸化剤からなる固形薬剤を封入した薬液噴霧装置である。薬液成分を長期保存性の優れる固形薬剤の状態で薬液収納容器に密閉封入することで、薬剤有効性（薬効）を長期間保つことができるからである。なお、使用時に固形薬剤を溶解する溶媒を加えることから、薬液収納容器と噴霧装置とは着脱できるものであることが必要である。
ここで、「着脱可能」とは、溶媒を薬液収納容器に加えることができる程度に開放できる態様であれば、形態の如何を問わない。
また、薬液は、水溶液として使用することが一般的であり、塩素系酸化剤は、殺菌・消毒、消臭用途に汎用されているからである。
【００１２】
（態様２）  前記水溶性の塩素系酸化剤からなる固形薬剤が、ジクロロイソシアヌル酸ナトリウムであることを特徴とする（態様１）に記載した水溶性の塩素系酸化剤からなる固形薬剤を封入した薬液噴霧装置である。ジクロロイソシアヌル酸ナトリウムは、水に浸漬した場合の崩壊性に優れ、水に対する溶解速度が速く、高濃度の活性塩素を速やかに供給でき、保存安定性及び成形性に優れた塩素化イソシアヌル酸成形物だからである。
【００１３】
（態様３）  前記水溶性の塩素系酸化剤からなる固形薬剤は、増量剤として水溶性無機塩を含むことを特徴とする（態様１）または（態様２）のいずれかに記載した水溶性の塩素系酸化剤からなる固形薬剤を封入した薬液噴霧装置である。殺菌・消毒、消臭に使用する塩素系薬剤の有効塩素濃度は、５０〜４００ｐｐｍであり、有効塩素濃度を発現するために封入する薬剤量は微量であり、水溶性の塩素系酸化剤からなる固形薬剤が薬液収納容器内に封入されていることを使用者が視認しにくい。このため、水溶性の塩素系酸化剤からなる固形薬剤に不活性な増量剤を加えることで、水溶性の塩素系酸化剤からなる固形薬剤が薬液収納容器内に封入されていることの視認性を高めることができるからである。また、活性塩素の低減をさけるため増量剤は有機物を含まない無機塩であることが必要であり、溶媒として水が多用されることから水溶性無機塩であることが好ましい。
【００１４】
（態様４）  前記水溶性の塩素系酸化剤からなる固形薬剤の封入量は、前記薬液収納容器に水を加えて調製した薬液の有効塩素濃度が５０〜４００ｐｐｍとなる封入量であることを特徴とする（態様１）〜（態様３）のいずれかに記載した水溶性の塩素系酸化剤からなる固形薬剤を封入した薬液噴霧装置である。殺菌・消毒、消臭に使用する塩素系薬剤の有効塩素濃度は、５０〜４００ｐｐｍであり、より好ましくは１００〜２５０ｐｐｍである。
【発明の効果】
【００１５】
薬液成分となる固形薬剤を、有効塩素濃度が発現できる量だけ薬液収納容器にあらかじめ封入し、使用時に溶媒を加えて薬液を調製することにより、希釈あるいは小分けという取扱いの煩雑さがなく、薬剤の経時劣化がほとんどなく、活性塩素の効力（有効塩素）が低減せず、長期保存性に優れる塩素系薬剤を用いた殺菌・消毒、消臭用噴霧装置（スプレー装置）を提供することができる。また、薬液収納容器を小型軽量化することで、外出時の携帯性に優れる塩素系薬剤を用いた殺菌・消毒、消臭用噴霧装置（スプレー装置）も提供することができる。
【図面の簡単な説明】
【００１６】
【図１】本発明の固形薬剤を封入した薬液噴霧装置の１実施態様を示す模式図である。
【図２】本発明の固形薬剤を封入した薬液噴霧装置の薬剤を溶解した使用時の１実施態様を示す模式図である。
【図３】本発明の固形薬剤を封入した薬液噴霧装置の他の実施態様を示す模式図である。
【図４】本発明の固形薬剤を封入した薬液噴霧装置の他の実施態様を示す模式図である。
【発明を実施するための形態】
【００１７】
本発明を実施するための形態を図面により、以下に説明する。なお、本発明の上記特徴（態様１）から（態様５）を備えるものであれば良く、実施形態に限定されるものではない。
【００１８】
図１は、本発明の固形薬剤を封入した薬液噴霧装置の１実施態様を示す模式図である。薬液噴出装置１は、薬液収納容器１１と、吸引チューブ１４、噴霧ノズル１６、噴射ボタン１７からなる薬液噴霧部と、噴霧ノズル１６及び噴射ボタン１７を保護する保護キャップ１５と、薬液収納容器１１と薬液噴霧部とを結合する装着部１２から構成されている。固形薬剤１３は、薬液収納容器１１に収納され、保護キャップ１５と装着部１２により封入されている。
図２は、本発明の固形薬剤を封入した薬液噴霧装置の薬剤を溶解した使用時の１実施態様を示す模式図である。装着部１２を外して、水、精製水などの溶媒を薬液収納容器１１に加え、封入して収納された固形薬剤１３を溶解して薬液１８とする。薬液は、保護キャップ１５を外して噴射ボタン１７を押すことで、吸引チューブ１４から噴霧ノズル１６を通して噴霧される。
図３及び図４は、本発明の固形薬剤を封入した薬液噴霧装置の他の実施態様を示す模式図である。
【００１９】
＜薬液収納容器＞
本発明の薬液収納容器１１は、固形薬剤１３及び薬液１８、特に塩素系薬剤からなる固形薬剤１３及び薬液１８に不活性な素材で構成されていれば特に限定されるものではない。また、薬剤の保存安定性の観点から酸素、水蒸気の透過性が低い素材で構成されることが好ましく、紫外線の影響で薬剤が分解、変性するため遮光性素材や遮光性フィルムで外装することが好ましい。外装するのは、容器そのものとすると塩素系薬剤と構成成分が反応するからである。
具体的な素材としては、ガラス、樹脂素材が好適に用いられる。ガラス素材としては、アルカリガラス、石英ガラスがあり、樹脂素材としては、ポリエチレンテレフタレート、ポリエチレンナフタレート、ポリブチレンテレフタレートなどのポリエステル樹脂、ポリエチレン、ポリプロピレンなどのポリオレフィン樹脂、ポリテトラフルオロエチレンなどのフッ素系樹脂、ポリカーボネート、ポリアリレートなどのエンジニアリング樹脂がある。
遮光性素材としては、ポリエステル樹脂に酸化チタンや遮光剤を配合させたものがあり、遮光性フィルムとしては、金属蒸着したポリエステルフィルムがある。
【００２０】
＜薬液噴霧部＞
噴霧装置（スプレー）とは、圧縮した空気や高圧ガスを用いて液体を霧、泡などの状態で噴霧する装置をいい、 液体の種類や噴霧の量などについて、さまざまな種類のスプレーがある。 また駆動源の違いにより缶内の高圧ガスを利用した缶スプレー、電動ポンプなどによる電動スプレー、外部の空気圧を利用したエアスプレーなどがある。本発明の噴霧装置は、外部の空気圧を利用したエアスプレーが好適に用いられる。薬液噴霧部は、装着部１２を外して、水、精製水などの溶媒を薬液収納容器１１に加え、封入して収納された固形薬剤１３を溶解して薬液１８とする必要があることから、薬液収納容器１１と着脱できる構造であることが必要である。したがって、缶内の高圧ガスを利用した缶スプレータイプのものではない。また、小型軽量な汎用品であることから、電動ポンプなどによる電動スプレーも望ましくない。
本発明の薬液噴霧部は、噴霧ノズル１６に細長い吸引チューブ１４を備え、噴射ボタン１７を押すことで薬液収納容器１１の薬液１８を噴霧する。薬液噴霧部を構成する素材は、薬剤、特に特に塩素系薬剤に不活性な樹脂素材で構成されていれば特に限定されるものではない。樹脂素材としては、樹脂素材としては、ポリエチレンテレフタレート、ポリエチレンナフタレート、ポリブチレンテレフタレートなどのポリエステル樹脂、ポリエチレン、ポリプロピレンなどのポリオレフィン樹脂、ポリテトラフルオロエチレンなどのフッ素系樹脂、ポリカーボネート、ポリアリレートなどのエンジニアリング樹脂がある。
【００２１】
＜装着部＞
本発明の装着部１２は、薬液噴霧部を薬液収納容器１１に装着する機能を果たすものである。薬液噴出装置１を使用する前は、薬液収納容器１１に封入して収納された固形薬剤１３を機密性よく保存する機能を果たす。また、薬液噴出装置１を使用する直前には、着脱して、薬液収納容器１１内に固形薬剤１３を溶解して薬液１８とする溶媒の導入口の機能を果たす。
本発明の装着部１２の構造は、薬液噴霧部を薬液収納容器１１に装着する機能及び薬液噴霧部を薬液収納容器１１から着脱する機能を容易に果たす構造であれば特に限定されない。図１〜図４に示す螺合する構造であっても、嵌合する（図示せず）構造であってもよい。
装着部１２を構成する素材は、薬剤、特に特に塩素系薬剤に不活性な樹脂素材で構成されていれば特に限定されるものではない。樹脂素材としては、樹脂素材としては、ポリエチレンテレフタレート、ポリエチレンナフタレート、ポリブチレンテレフタレートなどのポリエステル樹脂、ポリエチレン、ポリプロピレンなどのポリオレフィン樹脂、ポリテトラフルオロエチレンなどのフッ素系樹脂、ポリカーボネート、ポリアリレートなどのエンジニアリング樹脂がある。
【００２２】
＜固形薬剤＞
本発明の薬液収納容器１１に収納して封入される固形薬剤は、溶解可能な殺菌、消毒または消臭作用のある常温で固体の薬剤であれば特に限定されない。しかし、殺菌、消毒または消臭用途に一般的に使用され、認知度が高く、汎用性も高いという観点から、塩素系薬剤が好適に用いられる。固形タイプの塩素系薬剤は、適切に密封管理されていれば、水に溶解させるまでは、活性塩素の劣化が発生しにくく、長期保存に適しているからである。
固形タイプの好ましい塩素系薬剤としては、次亜塩素酸カルシウム（高度さらし粉）、塩素化イソシアヌル酸（例、ジクロロイソシアヌル酸ナトリウム、トリクロロイソシアヌル酸）があり、これらを単独あるいは混合して用いることができる。剤型としては、溶解性に優れる粉末状、顆粒状が好適に用いられ、粒子径が４００μｍ以下のものが溶解速度は高い。
固形薬剤１３の封入量は、薬液収入容器１１に水を加えて調製した薬液１８の有効塩素濃度が５０〜４００ｐｐｍとなる封入量とする。加える水の量を薬液収入容器１１に目印を付けて表示することにより、簡単かつ即座に使用することができるからである。
【００２３】
＜増量剤＞
本発明の固形薬剤１３には、増量剤として水溶性の無機塩を添加することができる。殺菌・消毒、消臭に使用する塩素系薬剤の有効塩素濃度は、５０〜４００ｐｐｍであり、有効塩素濃度を発現するために封入する薬剤量は微量であり、固形薬剤が薬液収納容器内に封入されていることを使用者が視認しにくい。このため、固形薬剤に不活性な増量剤を加えることで、固形薬剤が薬液収納容器内に封入されていることの視認性を高めることができるからである。
本発明の増量剤としては、固形薬剤に不活性な無機塩が好ましい。固形薬剤が塩素系酸化剤である場合は、活性塩素の低減をさけるため増量剤は有機物を含まないことが必要だからである。さらに、固形薬剤が水溶性塩素系酸化剤である場合は、水溶性無機塩がより好ましい。
水溶性無機塩としては、中性から弱酸性領域（ｐＨ４〜７）において可溶性の高い無機塩であることが必要である。この点からは、硫酸ナトリウムが好ましい。水溶液が中性（ｐＨ７）であり、増量剤として使用しても、塩素系酸化剤のｐＨのみに注目しておけば良く、利便性が高いからである。また、塩素系酸化剤の水溶液における活性塩素の殺菌力は、主に、次亜塩素酸の酸化力によるものであり、水溶液が弱酸性（ｐＨ４〜６）の場合に次亜塩素酸の存在割合は高くなるため、殺菌効力も高くなるからである。さらに、水溶液が強酸性（ｐＨ４未満）の場合には塩素ガスが発生する危険があるからである。
【実施例】
【００２４】
以下に、実施例を示して本発明をさらに詳細かつ具体的に説明するが、実施例は本発明を限定するものと解してはならない。
【００２５】
＜実施例１＞
ジクロロイソシアヌル酸ナトリウム（南海化学製  ハイスターＧ、有効塩素量６０％）０．０１ｇを薬液噴霧装置（薬液収納容器の容量２５ｍｌ）に封入した薬液噴霧装置を作製した。その後、水２４ｍｌを加えて活性塩素を含む薬液を調製した。調製後の薬液について、腸管出血性大腸菌（Ｏ−１５７）の除菌試験（２５℃、５ｍｉｎ放置後）を行った。ＬＲＶ（対数減少値）は、４．４であった。
【００２６】
＜実施例２＞
ジクロロイソシアヌル酸ナトリウム（南海化学製  ハイスターＧ、有効塩素量６０％）０．０１ｇに硫酸ナトリウム０．０９ｇを加えて混合した後、全量を薬液噴霧装置（薬液収納容器の容量２５ｍｌ）に封入した薬液噴霧装置を作製した。その後、水２４ｍｌを加えて活性塩素を含む薬液を調製した。調製後の薬液について、腸管出血性大腸菌（Ｏ−１５７）の除菌試験（２５℃、５ｍｉｎ放置後）を行った。ＬＲＶ（対数減少値）は、４．４であった。
【産業上の利用可能性】
【００２７】
本発明は、殺菌、消毒、消臭用途において利用可能である。
【符号の説明】
【００２８】
１  薬液噴霧装置
１１  薬液収納容器
１２  装着部
１３  固形薬剤
１４  吸引チューブ
１５  保護キャップ
１６  噴霧ノズル
１７  噴射ボタン、噴射トリガー
１８  薬液
【図１】
0006550570.tif 000002
【図２】
0006550570.tif 000003
【図３】
0006550570.tif 000004
【図４】
0006550570.tif 000005